(57)【要約】【課題】遊技機枠を島枠に取り付けると共に、遊技機枠の傾斜調整を簡易な作業で行える安価な遊技機枠の取付け装置を提供する。【解決手段】取付け装置２００のスライド制御ユニット２０１を島設備の島枠に固定し、スライドプレート２０２を遊技機枠１０４の上辺部１０４ａに固定し、駆動機構３００によりスライド制御ユニット２０１に対してスライドプレート２０２を前後動させ、遊技機枠１０４の上辺部１０４ａの移動量を調整することで傾斜角度を調整する。【選択図】図２
2020110480.tif 000002
【特許請求の範囲】
【請求項１】
弾球遊技機における遊技機枠を、遊技場に設置された島設備の島枠に取り付ける遊技機枠の取付け装置であって、
前記遊技機枠の上辺部に取り付けられ、複数のガイド受け部を設けたスライド体と、
前記島枠に固定され、前記スライド体の各ガイド受け部に対応させたガイド部材を同時に同量だけ前後動させる駆動機構を内蔵したスライド制御ユニットと、
を備え、
前記スイライド制御ユニットの駆動機構は、外部からの駆動力を受ける作用体の変移量を、より小さな変移量に変換して各ガイド部材を前後動させ、各ガイド部材の前後動によって各ガイド受け部を同時に同量だけ前後動させることを特徴とする遊技機枠の取付け装置。
【請求項２】
前記スライド体のガイド受け部は、前後方向に開設したネジ孔を備え、
前記スライド制御ユニットのガイド部材は、前記ガイド受け部のネジ孔に螺合させるネジ山を外周に形成したネジ棒であり、
前記スライド制御ユニットの駆動機構は、前記作用体の回転量を歯車伝達機構により減速比を高めて、全てのガイド部材を前後方向の回転軸周りに正転あるいは逆転させる、
ことを特徴とする請求項１に記載の遊技機枠の取付け装置。
【請求項３】
前記作用体の回転変位量として予め定めた基準回転量と、前記ネジ棒の回転によってスライド体が前後に移動する距離として予め定めた基準移動量とが一致するように、前記歯車伝達機構の減速比を設定したスライド制御ユニットを備えることを特徴とする請求項２に記載の遊技機枠の取付け装置。
【請求項４】
前記作用体の回転量を検出する作用体回転量検出手段と、
前記スライド体の移動量をガイド受け部の変移量として検出するスライド体移動量検出手段と、
を設けたことを特徴とする請求項２又は請求項３に記載の遊技機枠の取付け装置。
【請求項５】
前記スライド体には、遊技機枠の表面に押し当たる押圧体が機枠当着面より突出する固定状態と、前記押圧体が機枠当着面内に収まる開放状態とに変換する固定手段を設けたことを特徴とする請求項１〜請求項４の何れか１項に記載の遊技機枠の取付け装置。
【発明の詳細な説明】
【技術分野】
【０００１】
本発明は、弾球遊技機の遊技機枠を島設備に取り付ける遊技木枠の取付け装置であって、特に、取り付け時の傾斜角度を調整できる技術に関する。
【背景技術】
【０００２】
遊技場内では、多数の遊技機を列設した遊技島があり、遊技島には弾球遊技機や回動遊技機を設置できる枠構造と、遊技機を稼働させるための諸設備が設けられているので、島設備とよぶ。島設備に弾球遊技機を新規に設置したり、新たな弾球遊技機に交換したりする際の取り付け作業では、傾斜測定器を用いて所定の傾斜となるように弾球遊技機の遊技機枠を島枠に取り付けていた。弾球遊技機は、本体枠や遊技盤といった遊技機能部が遊技機枠に対して着脱可能な構造となっているので、重量があって嵩張る遊技機能部を取り外して、遊技機枠を先ず島枠に取り付け、その後に遊技機能部を遊技機枠に取り付けると、作業性が良いのである。
【０００３】
弾球遊技機の設置角度は、弾球遊技における遊技球の流下状態と密接に関わっており、弾球遊技機の傾斜角度によって入賞の確率が変化すると、一般に知られている。遊技場では、当然ながら、自店の営業方針等により、弾球遊技機の傾斜角度を意図通りに調整したいと考えるので、弾球遊技機を島設備へ取り付ける作業は重要である。
【０００４】
遊技機枠の取付け作業では、傾斜測定器で所望の傾斜にした状態で、遊技機枠を島枠へビスや釘で固定する方法がとられている。このような取り付け作業は技術的に難しく、専門業者に依頼する必要があった。このような遊技機枠の取り付け作業を簡易に行えるように、予め島枠側に固定した取付け装置によって、遊技機枠を着脱自在に保持すると共に、遊技機枠の傾斜角度を容易に調節できるようにした技術が提案されている（例えば、特許文献１を参照）。
【０００５】
特許文献１に記載の発明によると、弾球遊技機の取付け時に別途用意した傾斜測定器で傾斜を測定しながら傾斜を調整している。この方法では、弾球遊技機の取付け時には正確に取り付けられるが、その後の傾斜変化を知ることができない。また、傾斜の再調整を行う場合、傾斜測定器を別途用意する必要があり、大がかりな作業となる。そこで、傾斜角度センサからの傾斜角度情報を解析し、ステッピングモータで動作する傾斜角度調節ユニットを用いて、弾球遊技機の傾斜角度を自動調節するパチンコ遊技台の傾斜度調節システムが提案されている（例えば、特許文献２を参照）。
【先行技術文献】
【特許文献】
【０００６】
【特許文献１】特許第３９０３３４１号公報
【特許文献２】特許第６３３２８２２号公報
【発明の概要】
【発明が解決しようとする課題】
【０００７】
しかしながら、実際の弾球遊技機の傾斜角度調整範囲は、概ね８９．４０度から８９．００度の範囲であり、このような微小角度範囲の検出精度は最低でも、１／１００度以上の精密さが必要である。よって、特許文献１や特許文献２に記載の発明を実施するためには、高額な角度センサが必要となる。
【０００８】
また、特許文献２に記載の発明は、傾斜角度調節ユニットにステッピングモータや傾斜角度センサが必要であるため、装置コストが高額になるという欠点がある。しかも、特許文献２に記載の発明では、遊技台が左右方向に傾かないように調整するためには、傾斜角度調節ユニットが左右にそれぞれ必要である。したがって、特許文献２に記載の発明を遊技場に導入する場合、導入コストが非常に高額となり、到底、現実的では無い。
【０００９】
そこで、本発明は、遊技機枠を島枠に取り付けると共に、遊技機枠の傾斜調整を簡易な作業で行える安価な遊技機枠の取付け装置の提供を目的とする。
【課題を解決するための手段】
【００１０】
前記課題を解決するために、弾球遊技機における遊技機枠を、遊技場に設置された島設備の島枠に取り付ける遊技機枠の取付け装置であって、前記遊技機枠の上辺部に取り付けられ、複数のガイド受け部を設けたスライド体と、前記島枠に固定され、前記スライド体の各ガイド受け部に対応させたガイド部材を同時に同量だけ前後動させる駆動機構を内蔵したスライド制御ユニットと、を備え、前記スイライドユニットの駆動機構は、外部からの駆動力を受ける作用体の変移量を、より小さな変移量に変換して各ガイド部材を前後動させ、各ガイド部材の前後動によって各ガイド受け部を同時に同量だけ前後動させることを特徴とする。
【００１１】
また、上記構成において、前記スライド体のガイド受け部は、前後方向に開設したネジ孔を備え、前記スライド制御ユニットのガイド部材は、前記ガイド受け部のネジ孔に螺合させるネジ山を外周に形成したネジ棒であり、前記スライド制御ユニットの駆動機構は、前記作用体の回転量を歯車伝達機構により減速比を高めて、全てのガイド部材を前後方向の回転軸周りに正転あるいは逆転させる、ことを特徴とする。
【００１２】
また、上記構成において、前記作用体の回転変位量として予め定めた基準回転量と、前記ネジ棒の回転によってスライド体が前後に移動する距離として予め定めた基準移動量とが一致するように、前記歯車伝達機構の減速比を設定したスライド制御ユニットを備えることを特徴とする。
【００１３】
また、上記構成において、前記作用体の回転量を検出する作用体回転量検出手段と、前記スライド体の移動量をガイド受け部の変移量として検出するスライド体移動量検出手段と、を設けたことを特徴とする。
【００１４】
また、上記構成において、前記スライド体には、遊技機枠の表面に押し当たる押圧体が機枠当着面より突出する固定状態と、前記押圧体が機枠当着面内に収まる開放状態とに変換する固定手段を設けたことを特徴とする。
【発明の効果】
【００１５】
本発明によれば、遊技機枠に取り付けられたスライド体を前後動させるスライド制御ユニットには、外部からの駆動力を受ける作用体の変移量を、より小さな変移量に変換して各ガイド部材を前後動させる駆動機構を設けたので、ガイド部材の変移量を微調整できる。そして、スライド制御ユニットの各ガイド部材によってスライド体の各ガイド受け部の前後動を微調整することで、遊技機枠の上辺部が前後に動く変移量を微調整できる。遊技機枠の下辺部は島枠から動かないので、遊技機枠の上辺部が前後に微小な変移量だけ移動すると、遊技機枠の傾斜角度が微調整されることとなる。しかも、作用体の変移量をより小さな変移量に変換して各ガイド部材を前後動させる駆動機構は、高価な電動部品等を必要とせず、既存のネジ式動力伝達機構で構成できることから、スライド制御ユニットを安価に提供できる。
【図面の簡単な説明】
【００１６】
【図１】本発明の実施形態に係る取付け装置を用いて弾球遊技機の遊技機枠を取り付けた遊技場の概略構成図である。
【図２】第１実施形態に係る取付け装置を遊技機枠の上辺部に取り付けた状態の外観図である。
【図３】取付け装置の内部構造を示す。（Ａ）はスライド制御ユニットの内部を透視状態で示した取付け装置の平面図である。（Ｂ）はスライド制御ユニットの内部を透視状態で示した取付け装置の正面図である。（Ｃ）はスライド制御ユニットの内部を透視状態で示した取付け装置の右側面図である。
【図４】（Ａ）は遊技機枠の傾斜角度αとスライド寸法Ｌとの関係説明図である。（Ｂ）は寸法と傾斜の対応関係を示す対応表のイメージ図である。
【図５】第２実施形態に係る取付け装置を示し、スライド制御ユニットの内部を透視状態で示した右側面図である。
【図６】取付け装置における作動体の作用体の回転量を検出する作用体回転量検出手段を示す。（Ａ）は３６０度毎に検出する第１構成例の説明図である。（Ｂ）は１８０度毎に検出する第２構成例の説明図である。（Ｃ）は９０度毎に検出する第３構成例の説明図である。
【図７】第３実施形態に係る取付け装置を示し、スライド制御ユニットの内部を透視状態で示した右側面図である。
【図８】第１構成例の固定手段を設けたスライド体を示す。（Ａ）は固定手段が開放状態であるスライド体を内部透視した概略平面図である。（Ｂ）は固定手段が開放状態であるスライド体を内部透視した概略側面図である。（Ｃ）は固定手段が開放状態であるスライド体を内部透視した概略正面図である。
【図９】第１構成例の固定手段を設けたスライド体を示す。（Ａ）は固定手段が固定状態であるスライド体を内部透視した概略平面図である。（Ｂ）は固定手段が固定状態であるスライド体を内部透視した概略側面図である。（Ｃ）は固定手段が固定状態であるスライド体を内部透視した概略正面図である。
【図１０】第２構成例の固定手段を設けたスライド体を示す。（Ａ）は固定手段が開放状態であるスライド体を内部透視した概略平面図である。（Ｂ）は固定手段が固定状態であるスライド体を内部透視した概略正面図である。
【図１１】スライド体に設ける固定手段の固定爪片の構成例を示す。（Ａ）は第１構成例である固定爪片の説明図である。（Ｂ）は第２構成例である固定爪片の説明図である。（Ｃ）は第３構成例である固定爪片の説明図である。
【図１２】第３構成例の固定手段を設けたスライド体を示す。（Ａ）は固定手段が開放状態であるスライド体を内部透視した概略平面図である。（Ｂ）は固定手段が固定状態であるスライド体を内部透視した概略正面図である。
【図１３】（Ａ）は第３構成例の固定手段におけるロックレバーをロック状態とした動作説明図である。（Ｂ）は第３構成例の固定手段におけるロックレバーをロック解除状態とした動作説明図である。
【図１４】第４構成例の固定手段を設けたスライド体を示す。（Ａ）は固定手段が開放状態であるスライド体を内部透視した概略平面図である。（Ｂ）は固定手段が開放状態であるスライド体を内部透視した概略側面図である。（Ｃ）は固定手段が開放状態であるスライド体を内部透視した概略正面図である。
【発明を実施するための形態】
【００１７】
次に、添付図面に基づいて、本発明に係る遊技機枠の取付け装置の実施形態につき説明する。図１に示すように、遊技場では、遊技ユニット管理装置１０１等が店内ネットワーク１０２を介して、多数の遊技ユニット１０３と接続されている。各遊技ユニット１０３は、遊技機枠１０４を備える弾球遊技機にそれぞれ対応して設けられ、各遊技機枠１０４を取り付けるために、遊技機枠の取り付け装置２００（以下、単に「取付け装置」という）を設けてある。遊技ユニット１０３は、弾球遊技機と接続され、弾球遊技機に用いる遊技球を貸し出すための諸機能を備え、例えば、売上情報を遊技ユニット管理装置１０１へ送信したり、遊技ユニット管理装置１０１からの管理情報を受けて、対応する弾球遊技機に送信したりする。
【００１８】
取付け装置２００は、後述するように、手動で操作することもできるが、取付け装置２００に駆動源や情報検出手段を設けて、外部から駆動制御可能な構成とすることもできる。外部から駆動制御可能な取付け装置２００を設けた場合には、駆動信号や検出情報を送受信するため、信号線１０５によって遊技ユニット１０３と取付け装置２００を接続し、遊技ユニット１０３からの制御信号によって取付け装置２００を動作させても良い。また、取付け装置２００を駆動制御する機能は、遊技ユニット１０３に付加する場合に限定されない。例えば、各弾球遊技機に対応して設けられる上部パネル装置に設けても良いし、取付け装置２００を店内ネットワーク１０２に接続して、遊技ユニット管理装置１０１等の上位装置から直接制御する構成としても良い。
【００１９】
弾球遊技機の遊技機枠１０４は、遊技場に設置された島設備の島枠に並べて取り付ける。島枠には、弾球遊技機を載せて荷重を支える台ベース１０６と、呼び出しランプ等が設けられる上部パネルの下縁に位置する島上部枠１０７とを設けてある。台ベース１０６の上面と島上部枠１０７の下面との間には、遊技機枠１０４の高さ（例えば、図２に示すように約８１０ｍｍ）より若干広い程度の空隙があり、無理なく遊技機枠１０４を島枠に設置することが可能である。
【００２０】
遊技機取付け装置２００は、図２に示すように、スライド制御ユニット２０１と、薄板状のスライド体であるスライドプレート２０２で構成する。スライド制御ユニット２０１は島枠側に固定される。例えば、島上部枠１０７に固定しても良いし、遊技ユニット１０３を島枠に取り付けるための遊技ユニット枠１０８に固定しても良い。一方、スライドプレート２０２は、遊技機枠１０４の上辺部１０４ａに取り付ける。取り付ける方法は、ねじ止め、ワイヤー止めやクリップ止めなど、特に限定されないが、後述するように、ワンタッチでスライドプレート２０２を遊技機枠１０４に固定する機能を設けるようにしても良い。
【００２１】
台ベース１０６上に遊技機枠１０４の下辺部１０４ｂが置かれると、上辺部１０４ａ上面と島上部枠１０７との間に若干（例えば、数ミリ程度）の隙間が生じるので、この隙間にスライドプレート２０２を挿入することができる。以下では、弾球遊技を行う遊技者に遊技機枠１０４が正対する方向を前、島設備内へ向かう方向を後ろ、この前後方向に直交する向きを左右方向とよぶ。すなわち、スライドプレート２０２が前後動すると、追随して遊技機枠１０４の上辺部１０４ａが前後動するが、下辺部１０４ｂは台ベース１０６上を滑り動くことはないので、上辺部１０４ａと下辺部１０４ｂの前後差が遊技機枠１０４の傾斜として現れる。
【００２２】
上述したように、取付け装置２００によって遊技機枠１０４の傾斜を調整するためには、スライド制御ユニット２０１に対してスライドプレート２０２を前後動させる機能が必要である。しかも、安価に提供できる比較的単純な駆動機構が望ましい。駆動機構は、ユニットケース２０１１の内部に収納してある。なお、ユニットケース２０１１の後部には、前方に向かって窪む干渉回避凹部２０１２を設けてあり、弾球遊技機の背面側上方から遊技球を補給する補給機構の補給シュート等とスライド制御ユニット２０１の後部が干渉しないようにする。
【００２３】
図３に、第１実施形態の取付け装置２００の具体的構造を示す。スライドプレート２０２は、下面側が遊技機枠１０４に固定される固定プレート２０２１と、固定プレート２０２１の後部上面の左右２箇所に設けた第１ガイド受け部２０２２ａと第２ガイド受け部２０２２ｂを有する。第１，第２ガイド受け部２０２２ａ，２０２２ｂには、同径同ピッチのネジ孔が前後方向に開設されている。なお、スライドプレート２０２に設けるガイド受け部は２箇所に限らず、３箇所以上設けても良い。
【００２４】
スライド制御ユニット２０１のユニットケース２０１１には、駆動機構３００が収納される。駆動機構３００においては、手回し、あるいはモータ等の駆動源によって駆動される駆動軸３１１がユニットケース２０１１の側方より突出する。駆動軸３１１は左右方向に長尺で、第１軸支部２０１３ａと第２軸支部２０１３ｂによって回動自在に支持される。回動軸３１１の２箇所、すなわち、第１，第２ガイド受け部２０２２ａ，２０２２ｂに対応する部位には、第１ウォーム３１２ａと第２ウォーム３１２ｂが取り付けられ、第１ウォームホイール３１３ａおよび第２ウォームホイール３１３ｂと歯合する。第１，第２ウォームホイール３１３ａ，３１３ｂの回転軸となる第１ガイド部材３１４ａと第２ガイド部材３１４ｂは、第３軸支部２０１４ａと第４軸支部２０１４ｂによって回動自在に軸支され、後端がユニットケース２０１１の後面よりも突出する。第１，第２ガイド部材３１４ａ，３１４ｂは、外周面に第１，第２ガイド受け部２０２２ａ，２０２２ｂのネジ孔に螺合させるネジ山を形成したネジ棒である。
【００２５】
駆動機構３００では、駆動軸３１１が正転あるいは逆転すると、第１，第２ガイド部材３１４ａ，３１４ｂが同時に同一方向へ同じ回転量だけ正転あるいは逆転する。この第１，第２ガイド部材３１４ａ，３１４ｂの動作を受ける第１、第２ガイド受け部３１４ａ，３１４ｂは固定プレート２０２１と一体であるために回転せず、前方あるいは後方に移動する。このとき、第１，第２ウォーム３１２ａ，３１２ｂと第１，第２ウォームホイール３１３ａ，３１３ｂの回転数の比を適宜に設定することで、駆動軸３１１の回転量よりも第１，第２ガイド受け部３１４ａ，３１４ｂの移動量を小さくできる。
【００２６】
図３に示した駆動機構３００では、大径のウォームホイールを採用して減速比を稼ぐ構造としたが、他の歯車伝達機構によって減速させるようにしても構わない。また、駆動軸３１１の回転方向を９０度変換して第１，第２ガイド部材３１４ａ，３１４ｂの回転方向に変えるため、駆動機構３００では、ウォームギアを用いたが、これに限定されず、傘歯車やクラウンギアを用いても良い。
【００２７】
図３に示した駆動機構３００では、第１，第２ガイド受け部２０２２ａ，２０２２ｂを左右に分散配置して、同時に同一方向へ同じ移動量だけ動かすことにより、スライドプレート２０２が左右に傾くことなく、前後方向へ滑らかに移動させることができる。無論、スライドプレート２０２側のガイド受け部を３箇所以上設け、駆動機構のガイド部材も対応する３箇所以上に設けても構わない。
【００２８】
本実施形態の取付け装置２００は、スライドプレート２０２を前後にスライドさせるものであるが、図４（Ａ）に示すように、遊技機枠１０４のスライド寸法Ｌを知ることができれば、遊技機枠１０４の基準面１０４ｃの傾斜角度αを知ることができる。図４（Ｂ）は、スライド寸法と傾斜角度との対応を示す。法律上では、弾球遊技機は、鉛直方向に対してガラス面（基準面１０４ｃ）を１度まで傾けることが許可されている。１度の傾斜とは、傾斜角度αが８９度の状態であり、傾斜角度αが８９度から９０度の間で、遊技機枠１０４を台ベース１０６と島上部枠１０７に固定する必要がある。１度の間の調整値を業界内で表現するとき、遊技機枠１０４を傾斜をさせるために上辺部１０４ａをスライドする距離（スライド寸法Ｌ）を寸尺法で表現している。例えば、４分５厘の調整とは、傾斜角度αを８９．０３３度にすることを意味する。このように、遊技機枠１０４の基準面１０４ｃが鉛直向きであるときのスライドプレート２０２の位置を基準とすれば、この基準位置からのスライド寸法Ｌによって傾斜角度αを知ることができるのである。
【００２９】
上述した第１実施形態の取付け装置２００では、駆動軸３１１に外力を作用させて回動させるものとしたが、これに限定されるものではない。図５に示す第２実施形態の取付け装置２００′におけるスライド制御ユニット２０１′では、大径の減衰ギア３１５を駆動軸３１１に取り付けた構造である。なお、上述した第１実施形態と同じ構成には同一符号を付して、説明を省略する。
【００３０】
スライド制御ユニット２０１′では、減衰ギア３１５に対して、外部駆動軸３１６に軸着された外部駆動ギア３１７を歯合させ、外部駆動軸３１６の回転方向に応じて、減衰ギア３１７が取り付けられた駆動軸３１５の回転方向を変えることができる。なお、外部駆動軸は、小型モータ等の駆動源の駆動軸とすれば、スライドプレート２０２の前後動を自動制御することが可能となる。また、小型の駆動源は、遊技ユニット１０３を取り付ける遊技ユニット枠１０８の上方空間を利用して収納することが可能である。
【００３１】
スライド制御ユニット２０１′において、外部駆動ギア３１７を図５中時計回りに回転させると、減衰ギア３１５が図５中反時計回りに回転し、減衰ギア３１５の回転は駆動軸３１１に伝達され、第１，第２ウォーム３１３ａ，３１３ｂが回転する。第１，第２ウォーム３１３ａ，３１３ｂが図５中反時計方向に回転すると、第１，第２ウォームホイール３１３ａ，３１３ｂを介して第１，第２ガイド部材３１４ａ，３１４ｂを反時計方向（図５中、紙面手前から上側を経て紙面奥へ回る方向）に回転させる。第１，第２ガイド部材３１４ａ，３１４ｂが反時計方向に回転すると、周面のネジ山がネジ孔に螺合しているガイド受け部２０２２ａ，２０２２ｂを後方（図５中、白抜き矢印の方向）に押し、スライドプレート２０２を後方に移動させる。逆に、外部駆動ギア３１６を反時計回りに回転させると、第１，第２ガイド部材３１４ａ，３１４ｂが時計方向に回転して、ガイド受け部２０２２ａ，２０２２ｂを手前に引き、スライドプレート２０２を前方に移動させる。
【００３２】
第２実施形態の取付け装置２００′では、大径の減衰ギア３１５によって減速比を大きくしたので、１０００〔ｒｐｍ〕程度の比較的安価な小型モータ等を駆動源として用いることができる。なお、本実施形態では、大径の減衰ギア３１５によって減速比を調整したが、例えば、比較的小径の減衰ギアを複数組み合わせて減速比を調整することで、駆動機構が占める容積を削減するようにしても良い。
【００３３】
上述した第１実施形態の取付け装置２００における駆動軸３１１や第２実施形態の取付け装置２００′における外部駆動軸３１６といった作用体の変位量（回転角）を知ることができれば、遊技機枠１０４の傾斜角を一意に求めることができる。そこで、簡易な構造で作用体の回転量を検出できる作用体回転量検出手段として、エンコーダを用いる例を図６に示す。図６（Ａ）に示すエンコーダは、検出板４０１を駆動軸３１１や外部駆動軸３１６に取り付け、スリット４０１ａを透過センサ４０２によって検出すると、作用体の変位量を１回転（３６０度）毎に知ることができる。図６（Ｂ）に示すエンコーダは、検出板４０１′にスリット４０１ａとスリット４０１ｂを１８０度離して設けたので、作用体の変位量を半回転（１８０度）毎に知ることができる。図６（Ｃ）に示すエンコーダは、検出板４０１″に４つのスリット４０１ａ，４０１ｂ，４０１ｃ，４０１ｄを９０度間隔で設けたので、作用体の変位量を１／４回転（９０度）毎に知ることができる。
【００３４】
このように、作用体の変位量（回転量）を知ることができれば、スライドプレート２０２の変位量を求めることができ、求まったスライドプレート２０２の変位量から遊技機枠１０４の傾斜角度に換算することができる。しかし、スライドプレート２０２の変位量を直接計測して傾斜角度に換算しても良い。図７に示す第３実施形態の取付け装置２００″におけるスライド制御ユニット２００″には、第１，第２スライドガイド体２０２２ａ，２０２２ｂとの離隔距離を検出する反射型距離センサ３１８を設けてある。例えば、遊技機枠１０４が基準位置にある時、反射型距離センサ３１８から第１，第２スライドガイド体２０２２ａ，２０２２ｂまでの距離がｄ１で、スライドプレート２０２が変位した後の距離がｄ２であれば、「スライド寸法Ｌ＝ｄ２−ｄ１」から傾斜角度を換算することができる。スライド寸法Ｌの分解能が１ｍｍ程度であれば、反射型距離センサ３１８には比較的安価なセンサを使用できるので、コスト抑制が可能である。
【００３５】
第３実施形態に係る取付け装置２００″のように、スライドプレート２０２の変位量を検出できれば、様々な異常の判定が可能となる。例えば、作用体によって第１，第２ガイド部材３１４ａ，３１４ｂを回動させているにもかかわらず、反射型距離センサ３１８の検出距離が変化しない場合には、取付け装置２００″の異常が疑われる。一方、作用体を回転させていないのに、反射型距離センサ３１８の検出距離が変化している場合には、遊技機傾斜異常である。また、弾球遊技機の取付け時に行う傾斜角度の測定値を基準とし、反射型距離センサ３１８で測定した値を記録してゆけば、常に正確な傾斜角を調整することが可能となる。反射型距離センサ３１８の代わりに加速度センサを設けておき、遊技機枠１０４の傾斜を変えるような外力が作用したか否かを管理しても良い。
【００３６】
第１〜第３実施形態の取付け装置２００，２００′，２００″で前後動させるスライドプレート２０２は、遊技機枠１０４の上辺部１０４ａに固定する必要があるので、その固定作業を簡易に行えることが望ましい。図８及び図９は、簡易な固定手段５００を設けた第１構成例のスライドプレート２０２Ａを示す。固定手段５００は、左右方向にスライドするスライドフレーム５０１と、遊技機枠１４に推し当たる押圧体としての固定爪片５０２を備える。固定爪片５０２の一端縁には固定爪部５０２ａが形成され、固定爪片５０２の他端縁は回動支点５０３によって回動自在に支持される。
【００３７】
スライドフレーム５０１は、各固定爪片５０２に対応させて設けた起こしプレート５０１ａ、各固定爪片５０２に対応させた寝かせプレート５０１ｂと一体に構成される。スライドプレート５０１には、スライドレバー５０１ｃが一体化され、スライドレバー５０１ｃを持って、スライドプレート５０１をスライド動作させることができる。なお、スライドレバー５０１ｃを操作しやすいように、滑り止めとなるローレット加工をスライドレバー５０１ｃ表面に施してもよい。
【００３８】
固定爪片５０２は回転支点５０３を支軸として回転し、支軸の反対側である先端にギザギザ加工された固定爪部５０２ａを設け、その噛み込み状態や接触抵抗により、遊技機枠１０４の上縁部１０４ａにスライドプレート２０２Ａを固定し易くする。固定爪片５０２は、寝かせプレート５０１ｂによってスライドフレーム５０１と同じ方向（左右方向）に保持されるが、寝かせプレート５０１ｂが回転支点５０３を越えて固定爪片５０２から外れると、固定爪片５０２は自重で垂れ下がる。固定爪片５０２の固定爪部５０２ａは若干下向きとなるように曲げてあり、固定爪部５０２ａが起こしプレート５０１ａと接触して動作不能になることを防ぐと共に、引き起こしプレート５０１ａのテーパ面が固定爪片５０２の上面側へ潜り込みやすいようにする。
【００３９】
図８に示すスライドプレート２０２Ａは、押圧体である固定爪片５０２が機枠当着面２０２３内に収まる開放状である。ここで、図９に示すスライドプレート２０２Ａのように、スライドレバー５０１ｃをスライド方向Ｓ（図９（Ｃ）中、左方向）にスライドすると、押圧体である固定爪片５０２が機枠当着面２０２３より突出する固定状態となる。すなわち、スライドフレーム５０１のスライド移動により、固定爪片５０２は自重で垂れ下がるので、機枠当着面２０２３上に遊技機枠１０４があれば、固定爪部５０２ａが遊技機枠１０４に押し当たることとなる。加えて、引き起こしプレート５０１ａがスライド方向Ｓへ移動すると、固定爪片５０２を更に下方へ押し下げる力として作用するので、固定爪部５０２ａは一層強く遊技機枠１０４に押し当たることとなり、スライドプレート２０２Ａは強固に固定される。
【００４０】
固定状態にあるスライドプレート２０２Ａのスライドレバー５０１ｃを、反スライド方向（図９（Ｃ）中、右方向）にスライドすると、スライドフレーム５０１の引き起こしプレート５０１ａによる固定爪片５０２の応圧力が解かれる。そして、スライドフレーム５０１の寝かせプレート５０１ｂが回転支点５０３より固定爪片５０２の下面側へ戻り、固定爪片５０２の固定爪部５０２ａが機枠当着面２０２３内へ収まるように回転してゆく。このように、本構成例のスライドプレート２０２Ａは、スライドレバー５０１ｃのスライド操作によって固定状態と開放状態の変換を簡易に行うことができるのである。
【００４１】
上述した第１構成例のスライドプレート２０２Ａでは、固定状態で各固定爪片５０２の固定爪部５０２ａが同じ方向のみから遊技機枠１０４に押し当たるものであるが、異なる側から押し当たるようにすれば、一層強く固定することができる。そこで、図１０に示す第２構成例のスライドプレート２０２Ｂにおける固定手段６００は、第１スライドフレーム６１１によって動作させる複数の第１固定爪片６１２と、第２スライドフレーム６２１によって動作させる複数の第２固定爪片６２２で、固定方向を異ならせた。
【００４２】
第１スライドフレーム６１１と第２スライドフレーム６２１は、どちらも左右方向にスライド移動可能である。第１スライドフレーム６１１の引き起こしプレート６１１ａによって固定爪片６１２の固定爪部６１２ａ側を引き起こす方向と、第２スライドフレーム６１２の引き起こしプレート６２１ａによって固定爪片６２２の固定爪部６２２ａ側を引き起こす方向は逆である。すなわち、固定爪片６１２の回転支点６１３の配置側と、固定爪片６２２の回転支点６２３の配置側を逆にすることで、固定爪片６１２の固定爪部６１２ａが遊技機枠１０４に押し当たる向きと、固定爪片６２２の固定爪部６２１ａが遊技機枠１０４に押し当たる向きを反対にできる。
【００４３】
そして、第１スライドフレーム６１１と第２スライドフレーム６２１を逆方向へ同時に同量だけスライドさせるために、一対のピニオンギア６３１，６３２を第１，第２スライドフレーム６１１，６２１に設けたラック６１１ｂ，６２１ｂに歯合させる。斯くすれば、ピニオンギア６３１，６３２が一方向（図１０において時計回り）に回転すると、第１スライドフレーム６１１はＳ１方向（図１０においては右方向）へ移動し、同時に第２スライドフレーム６２１はＳ２方向（図１０においては左方向）へ移動する。そして、第１スライドフレーム６１１側の固定爪片６１２と第２フレーム６２１側の固定爪片６２２が互いに違う向きから機枠当着面２０２３に向かって降りてくる。これにより、第１スライドフレーム６１１側の固定爪片６１２と第２スライドフレーム側の固定爪片６２２が互いに逆方向から遊技機枠１０４に押し当たることとなり、左右方向に対する強度を高めてスライドプレート２０２Ｂが固定される。
【００４４】
固定手段６００を固定状態あるいは開放状態に変換するときには、図示を省略した操作部によって、第１スライドフレーム６１１または第２スライドフレーム６２１をスライド操作させることで行う。なお、ピニオンギア６３１，６３２を回動させることで状態変換を行うことは可能であるが、スライドプレート２０２Ｂの上面側および下面側のどちらにもピニオンギア６３１，６３２の駆動機構を設ける十分なスペースを確保することは困難であり、現実的でない。
【００４５】
スライドプレート２０２を遊技機枠１０４に固定する場合、その強度を高めるためには、固定爪片の固定爪部の形状も重要である。遊技機枠１０４は、遊技機メーカーにより、材質が木製、プラスチック製または金属製と異なっている。また、形状も様々であり、一面平らであったり、浅い溝が掘られたりしている。様々な遊技機枠１０４に対応できるように、多様な形状の固定爪片が考えられる。例えば、図１１（Ａ）に示す第１構成例の固定爪片６４１の固定爪部６４１ａは均一のギザ刃構造である。図１１（Ｂ）に示す第２構成例の固定爪片６４２は、中央固定爪部６４２ａは大きなギザ刃構造で、両サイドの側方固定爪部６４２ｂは小さなギザ刃構造である。図１１（Ｃ）に示す第３構成例の固定爪片６４３の固定爪部６４３ａは滑らかな突曲面構造である。多様な形状の固定爪片を用意しておき、遊技機枠１０４の材質や形状に応じて、スライドプレート２０２の固定爪片を交換できるようにしても良い。
【００４６】
上述した第１，第２構成例のスライドプレート２０２Ａ，２０２Ｂでは、固定状態と開放状態への変換は可能であるが、固定状態あるいは開放状態を保持するための特別な構造を備えていない。そこで、第３構成例のスライドプレート２０２Ｃでは、固定状態あるいは開放状態を保持するロック構造を採用した。
【００４７】
図１２に示す第３構成例のスライドプレート２０２Ｃにおける固定手段５００では、スライドレバー５０１ｃに代えて、操作部５０１ｄを設け、ロックレバー７１０を支軸７２０により軸支する。ロックレバー７１０は、スライドプレート２０２Ｃ本体の後方側（図１２（Ａ）においては下方側）に延出する操作部７１１から被支持部７１２を経てロック部７１３に連なる。スライドプレート２０２Ｃ本体の後面には、上部係止歯７３１と下部係止歯７３２が左右方向に設けられており、ロックレバー７１０のロック部７１３に形成した上部係止歯７１３ａおよび下部係止歯７１３ｂと噛み合う。
【００４８】
そして、操作部７１１の上面および下面には、バネ等の付勢手段により表面から突出するよう付勢されたレバー規制凸部５０４，５０４をそれぞれ設けてある。レバー規制凸部５０４，５０４はロックレバー７１０の縁部近傍に突出しており、ロックレバー７１０の上下部係止歯７１３ａ，７１３ｂがスライドプレート２０２Ｃの上下部係止歯７３１，７３２と噛み合ったロック状態に規制される（図１３（Ａ）を参照）。しかし、レバー規制凸部５０４，５０４の規制に抗してロックレバー７１０の操作部７１１をＦ１方向へ引くと、支軸７２０を回転中心としてロック部７１３側がＦ２方向へ移動する。これにより、上下部係止歯７１３ａ，７１３ｂがスライドプレート２０２Ｃ本体の上下部係止歯７３１，７３２から外れるので、スライドフレーム５０１をスライド可能なロック解除状態となる（図１３（Ｂ）を参照）。
【００４９】
ロックレバー７１０をロック解除状態にして、操作部５０１ｄを左右にスライド移動させることで、固定手段５００′を開放状態あるいは固定状態に変換することができる。しかして、ロックレバー７１０の上下部係止歯７１３ａ，７１３ｂの各歯部は、開放状態から固定状態へ変換するスライド方向に向かって突出量が減るテーパ面で、テーパ面の突出端部はスライド方向に直交する規制面に連なる。一方、スライドプレート２０２Ｃの上下部係止歯７３１，７３２の各歯部は、開放状態から固定状態へ変換するスライド方向に向かって突出量が増えるテーパ面で、テーパ面の突出端部はスライド方向に直交する規制面に連なる。
【００５０】
ロックレバー７１０の上下部係止歯７１３ａ，７１３ｂの各歯部がスライドプレート２０２Ｃの上下部係止歯７３１，７３２の各歯部と噛み合うと、両歯部の規制面が突き合わされるため、固定状態から開放状態へ変換する方向へのスライドが規制される。すなわち、スライドフレーム５０１を固定方向へ移動させて、固定爪片５０２の固定爪部５０２ａが遊技機枠１０４に押し当たる固定状態に変換した後、ロックレバー７１０をロック状態にすれば、スライドフレーム５０１が反固定方向へ戻ることが強く規制される。従って、遊技機枠１０４の上辺部１０４ａに押し当たった状態の固定爪部５０２ａが、緩んだり外れたりすることを抑制し、固定状態を効果的に維持できる。
【００５１】
上述した第１〜第３構成例のスライドプレート２０２Ａ〜２０２Ｃは、何れも、スライドフレームを左右方向へ移動させることで、固定状態と開放状態に変換するものであったが、横方向の操作を行わずに状態変換させることも可能である。図１４に示す第４構成例のスライドプレート２０２Ｄは、固定手段５００″をスライドさせるためのスライド操作手段８００を設けた。
【００５２】
スライド操作手段８００は、スライド方向に長尺な連動軸８１０の一方端側に設けたウォーム８１１を、スライドフレーム５０１のスライドレバー５０１ｅに形成したラックギア５０１ｆと歯合させ、連動軸８１０の回動によりスライドさせるものである。駆動軸８１０を駆動させる操作レバー８２０は、スライド方向の回動軸８２１によって回動可能に支持され、回動軸８２１を中心とする駆動ギア部８２２を備える。駆動ギア部８２２は、連動軸８１０に取り付けた従動ギア８１２と歯合させ、駆動ギア部８２２の回転状態を、従動ギア８１２を介して連動軸８１０に伝達させる。
【００５３】
操作レバー８２０は、回転軸８１２を中心に上下方向に回転し、その回転させた範囲分だけ駆動ギア部８２２も回転する。駆動ギア部８２２のギア径は従動ギア８１２のギア径よりも大きく設定し、操作レバー８２０の回転角度に対する連動軸８１０の回転角度を大きくする。例えば、操作レバー８２０を時計方向に１５度回転させると、従動ギア８１２が反時計方向に１回転し、連動軸８１０を介してウォーム８１１を１回転させ、ウォーム８１１の条数に応じたギア分だけラックギア５０１ｆを固定方向へスライドさせるのである。このように、第４構成例のスライドプレート２０２Ｄでは、操作レバー８２０を上下方向に所定角度回動させることで、スライドフレーム５０１を左右方向へスライドさせ、開放状態と固定状態の変換を簡易に行える。
【００５４】
以上、本発明に係る遊技機枠の取付け装置を実施形態に基づき説明したが、本発明は、これらの実施形態に限定されるものではなく、特許請求の範囲に記載の構成を変更しない限りにおいて実現可能な全ての遊技機枠の取付け装置を権利範囲として包摂するものである。
【符号の説明】
【００５５】
１０４      遊技機枠
１０６      台ベース
１０７      島上部枠
２００      取付け装置
２０１      スライド制御ユニット
３１４ａ    第１ガイド部材
３１４ｂ    第２ガイド部材
２０２      スライドプレート
２０２２ａ  第１ガイド受部
２０２２ｂ  第２ガイド受部
３００      駆動機構
【図１】
2020110480.tif 000003
【図２】
2020110480.tif 000004
【図３】
2020110480.tif 000005
【図４】
2020110480.tif 000006
【図５】
2020110480.tif 000007
【図６】
2020110480.tif 000008
【図７】
2020110480.tif 000009
【図８】
2020110480.tif 000010
【図９】
2020110480.tif 000011
【図１０】
2020110480.tif 000012
【図１１】
2020110480.tif 000013
【図１２】
2020110480.tif 000014
【図１３】
2020110480.tif 000015
【図１４】
2020110480.tif 000016